(57)【要約】【課題】本発明は、電子機器を手で保持して持ち運ぶ際に、重量の重心によって、その姿勢が傾かないような保持部を有することで、安定して把持することを容易にできる電子機器を得ることを課題とする。【解決手段】本発明の電子機器は、本体１５の下部に指掛け部２４，２４を備える。指掛け部２４，２４は、第２の面１７から第３の面１８に向かう方向に沿って、重量重心に対応して形成され、且つ、第２の面１７から第３の面１８に向かうほど幅広に形成されている。これにより自然に、電子機器が傾かない位置に指が向かう。【選択図】図３
2013052068.tif 000002
【特許請求の範囲】
【請求項１】
略直方体状であり、載置面としての第１の面、該第１の面の一方の対向２辺に交わる第２及び第３の面、第１の面のもう一方の対向２辺に交わる第４及び第５の面、及び第１の面と対向する第６の面、の６つの面を有する本体と、
第２の面にて開口を有し、該開口から第３の面に向かって本体の中心位置を超えるまでの領域に形成される空洞部と、
第４及び第５の面のうち、第１の面側にそれぞれ形成される本体把持用の指掛け部とを備え、
各種の部品を本体内に内蔵した電子機器であって、
前記指掛け部は、第２の面から第３の面に向かう方向に沿って形成され、且つ、第２の面から第３の面に向かうほど幅広に形成されることを特徴とする電子機器。
【請求項２】
前記指掛け部は、第２の面から離間し、第３の面側に寄った位置に形成されることを特徴とする請求項１に記載の電子機器。
【請求項３】
前記指掛け部は、第６の面から第１の面に向かう方向に傾斜した傾斜面で構成されることを特徴とする請求項１又は請求項２に記載の電子機器。
【請求項４】
前記傾斜面は、第６の面から第１の面に向かう方向における中心側が凹む湾曲面であることを特徴とする請求項１乃至請求項３の何れか１項に記載の電子機器。
【請求項５】
前記第４及び第５の面のそれぞれと前記傾斜面とは、不連続に交わることを特徴とする請求項１乃至請求項４の何れか１項に記載の電子機器。
【発明の詳細な説明】
【技術分野】
【０００１】
本発明は、略直方体状の本体を備え、該本体の一つの面から反対側の対向面に向かって本体の中心位置を超えるまでの領域に空洞部が形成され、空洞部を除く本体内に各種の部品を内蔵した電子機器に関する。
【背景技術】
【０００２】
従来より、電子機器の本体は、内蔵する部品の機能に合わせて様々な形状に形成されている。例えば、特許文献１に記載されているようなジェルネイル硬化装置は、複数の光源と、該光源を収納した本体と、使用者の手又は足に光を照射する照射室と、該照射室に使用者の手又は足を挿入する挿入口と、本体を持ち上げるための指掛け部とを備える。挿入口は、本体の底面（載置面）及び背面に形成されている。
【０００３】
このジェルネイル硬化装置は、使用者の手又は足に光を照射することができる。使用者の手に光を照射する場合、使用者は、手を本体の背面の挿入口から照射室に挿入する。また、使用者は、指掛け部で本体を持ち上げ、本体の底面及び背面の挿入口から足に被せることにより照射室に足を挿入する。そして、照射室に挿入された手又は足には、光源から放射された光が照射される。
【先行技術文献】
【特許文献】
【０００４】
【特許文献１】登録実用新案第３１５１６９８号公報
【発明の概要】
【発明が解決しようとする課題】
【０００５】
しかし、特許文献１に記載されたようなジェルネイル硬化装置は、照射室が本体の背面から正面に向かって形成されているため、光源を制御する部品の配置によっては、装置の重心位置が本体の中心位置からずれることがある。また、使用者の使用に合わせてその置き場所を転置することのあるジェルネイル硬化装置は、持ち上げる際の指掛け部の位置によっては、指の位置が装置の重心位置からずれることがあり、持ち運ぶときの装置の姿勢が傾き、装置を安定して把持しづらいことがあった。
【０００６】
本発明は、かかる事情に鑑み、持ち運ぶ際にその姿勢が傾かないように安定して把持することが容易にできる電子機器を提供することを目的とする。
【課題を解決するための手段】
【０００７】
本発明の電子機器は、略直方体状であり、載置面としての第１の面、該第１の面の一方の対向２辺に交わる第２及び第３の面、第１の面のもう一方の対向２辺に交わる第４及び第５の面、及び第１の面と対向する第６の面、の６つの面を有する本体と、第２の面にて開口を有し、該開口から第３の面に向かって本体の中心位置を超えるまでの領域に形成される空洞部と、第４及び第５の面のうち、第１の面側にそれぞれ形成される本体把持用の指掛け部とを備え、各種の部品を本体内に内蔵した電子機器であって、前記指掛け部は、第２の面から第３の面に向かう方向に沿って形成され、且つ、第２の面から第３の面に向かうほど幅広に形成されているという構成を有している。
【０００８】
かかる構成によれば、本体に空洞部が形成され、空洞部内には各種の部品を配置できない都合上、電子機器の重心位置は、本体の中心位置よりも第３の面側となる。一方、指掛け部は、第２の面から第３の面に向かう方向に沿って形成され、且つ、第２の面から第３の面に向かうほど幅広に形成されているため、使用者が本体を把持する際の指は、より指掛かりがよい第３の面側に誘導されることとなる。従って、使用者は、電子機器の重心位置あるいはその近傍を把持することになる。よって、電子機器を持ち運ぶ際にその姿勢が傾きにくくなり、使用者は、電子機器を安定して把持することが容易にできる。
【０００９】
なお、第１乃至第６の面の「面」とは、完全に平坦な面だけを意図しているものではない。本体の外観デザインや、内蔵される各種の部品のレイアウトの都合上、曲面となっているものも第１乃至第６の面の「面」に該当する。
【００１０】
ここで、本発明の電子機器においては、前記指掛け部は、第２の面から離間し、第３の面側に寄った位置に形成される構成を採用することができる。
【００１１】
かかる構成によれば、使用者が本体を把持する際の指の位置と、電子機器の重心位置とを容易に合わせ込むことができる。
【００１２】
また、本発明の電子機器においては、前記指掛け部は、第６の面から第１の面に向かう方向に傾斜した傾斜面で構成されるようにするのが好ましい。
【００１３】
かかる構成によれば、指掛け部を簡単に形成することができ、電子機器の製造コストを低減することができる。
【００１４】
また、本発明の電子機器においては、前記傾斜面は、第６の面から第１の面に向かう方向における中心側が凹む湾曲面であるのが好ましい。
【００１５】
かかる構成によれば、その凹部の第６の面側の内面への指掛かりがよくなるため、より確実に電子機器を把持することができる。
【００１６】
また、本発明の電子機器においては、前記第４及び第５の面のそれぞれと前記傾斜面とは、不連続に交わるような構成を採用することができる。
【００１７】
かかる構成によれば、第４の面と指掛け部との境界及び第５の面と指掛け部との境界がエッジとなり、さらに指掛け性を向上させることができる。
【発明の効果】
【００１８】
本発明の電子機器によれば、持ち運ぶ際にその姿勢が傾かないように安定して把持することが容易にできる。
【図面の簡単な説明】
【００１９】
【図１】本発明の実施形態に係る光照射治療・予防装置の制御回路図
【図２】同実施形態に係る光照射治療・予防装置の全体斜視図
【図３】同実施形態に係る光照射治療・予防装置の外観図であって、（ａ）は、上面図、（ｂ）は、側面図
【図４】同実施形態に係る光照射治療・予防装置の背面図
【図５】同実施形態に係る光照射治療・予防装置を把持した状態を示す側面図
【発明を実施するための形態】
【００２０】
本発明の一実施形態に係る光照射治療・予防装置について、図１〜図５を参酌しつつ、説明する。同実施形態に係る光照射治療・予防装置１は、主に、炎症性疾患の罹患を予防し又は罹患時の当該疾患の症状を軽減する予防治療を受ける被治療者や、炎症性疾患を抑制することにより炎症性疾患の治療を受ける被治療者（患者）などの治療を受けるために当該装置を使用する使用者に光を照射する光照射装置の一例である。
【００２１】
光照射治療・予防装置１は、図１で図示する光照射治療・予防装置の制御回路図に示されているように、被写体に対して光を放射する光源２と、該光源２から放射される放射光を被写体に向けて反射する反射部材３と、該反射部材３から反射された光を透過させて被写体に導光する導光部材４と、光源２から放射される放射光のうち波長が特定の範囲内の放射光を透過させる波長透過手段５と、光源２の発光を制御する発光制御手段６と、光源２及び発光制御手段６に電気を供給する電源供給手段７と、光源２、反射部材３、導光部材４、波長透過手段５、発光制御手段６及び電源供給手段７を収納するとともに、波長透過手段５から透過された透過光を使用者の予防したい部位又は罹患した部位（特定部位）に照射可能な構造を有する筺体８（図２参照）とを備える。
【００２２】
光源２は、炎症性サイトカインの産生を抑制するために使用者の生体の予防したい部位又は罹患した部位に照射する光源となる。光源２は、例えば、キセノン放電管やハロゲン放電管などの（閃光）放電管である。特に、本実施形態に係る光源２は、キセノン放電管である例を説明する。
【００２３】
反射部材３は、波長透過手段５を透過した透過光が使用者の予防したい部位又は罹患した部位に照射されるように、光源２から略全方位に放射される放射光の照射範囲を制御する。
【００２４】
導光部材４は、本実施形態では、図３（ｂ）に示すように、使用者の手の甲（手首から指先までの手の外側の面）に対向して配置される第１の導光面９と、使用者の手の平（手首から指先までの手の内側の面）に対向して配置される第２の導光面１０と、を備える。
【００２５】
波長透過手段５は、光源２から放射された放射光の、１以上の特定の波長、又は、１以上の特定範囲の波長の放射光のみを透過する光学フィルタである。本実施形態に係る光学フィルタは、特定範囲の波長（帯）の放射光のみを選択的に透過するバンドパスフィルタ（干渉フィルタ）を例に説明する。
【００２６】
発光制御手段６は、光源２を１回又は複数回に分けて閃光発光させたり、所定の発光間隔で発光制御させたり、複数回に分けて閃光発光させる場合は、更に、光源２が放射する放射エネルギーを所定の放射エネルギー以下に抑えて閃光発光させるなどの様々な発光パターンで光源２を発光制御する。
【００２７】
電源供給手段７は、図１に示すように、光源２の発光エネルギーを蓄える蓄電手段１１と、該蓄電手段１１を充電する充電回路１２と、蓄電手段１１に電気を供給する電源部１３と、該電源部１３のオン・オフを切り替える電源スイッチ１４と、を備える。電源供給手段７は、光源２以外にも、発光制御手段６の電源としても用いられる。蓄電手段１１は、本実施形態では、主コンデンサである例を説明する。この主コンデンサは、図３（ａ）に示されるように、同容量のコンデンサが２つ設けられている。そして、主コンデンサは、本実施形態に係る部品の中で最も重量の重い部品である。
【００２８】
筺体８は、図２及び図３に示すように、略直方体状の本体１５であって、第１の面１６、該第１の面１６の一方の対向２辺に交わる第２及び第３の面１７，１８、第１の面１６のもう一方の対向２辺に交わる第４及び第５の面１９，２０、及び第１の面１６と対向する第６の面２１、の６つの面を有する本体１５と、第２の面１７にて開口を有し、該開口から第３の面１８に向かって該本体１５の中心位置２２を超えるまでの領域に形成される空洞部２３と、第４及び第５の面１９，２０のうち、第１の面１６側にそれぞれ形成される本体把持用の指掛け部２４，２４とを備える。なお、本実施形態においては、第１の面１６は、底面であり、本体１５が載置される載置面である。第２の面１７は、正面である。第３の面１８は、背面である。第４及び第５の面１９，２０は、側面である。第６の面２１は、上面である。
【００２９】
本体１５は、図３（ａ）及び図３（ｂ）に示すように、筺体８に収納される多数の部品（光源２、反射部材３の一部、波長透過手段５、発光制御手段６、電源供給手段７）を空洞部２３の奥（第３の面１８）側に格納している。本体１５は、導光部材４の第２の導光面１０を空洞部２３の第１の面１６側に格納している。本体１５は、導光部材４の第１の導光面９を空洞部２３の第６の面２１側に格納している。本体１５に格納されるこれらの部品は、第４の面１９から第５の面２０に向かう第１の方向（左右方向）Ａにおいて重量が略均等に分配されるように、第４の面１９と第５の面２０との略中間の面に対して面対称となるように配置されている。また、本体１５は、空洞部２３の奥側に部品が偏って配置されているため、重量が第３の面１８側に偏っている。つまり、光照射治療・予防装置１の重心位置２５は、本体１５の中心位置２２と異なる位置にある。
【００３０】
空洞部２３は、第２の面１７から第３の面１８に向かって形成される略長方形状の空間であり、手が収納可能な空間を有する。空洞部２３の第１の面１６側の内面には、第２の導光面１０が設けられている。空洞部２３の第６の面２１側の内面には、第１の導光面９が設けられている。つまり、空洞部２３に挿入された手は、第１の導光面９により手の甲に光の照射を受け、第２の導光面１０により手の平に光の照射を受ける。
【００３１】
指掛け部２４は、第２の面１７から第３の面１８に向かう方向に沿って形成され、且つ、第２の面１７から第３の面１８に向かうほど幅広に形成されている。より詳しくは、指掛け部２４は、第３の面１８側から第２の面１７に向かって所定の長さを有する傾斜面２６，２６を有する。傾斜面２６，２６は、第１の面１６側の端部２７，２７のそれぞれが接近するように第１の方向Ａに傾斜している。また、指掛け部２４，２４は、傾斜面２６，２６の、第１の面１６から第６の面２１に向かう第２の方向（上下方向）Ｂにおける長さが第２の面１７から第３の面１８に向かうにつれて長くなるように形成されている。つまり、傾斜面２６，２６は、第２の面１７から第３の面１８に向かうにつれて、指を掛けることのできる幅が広くなっている。また、より指掛け性を高めるため、傾斜面２６，２６は、第２の方向Ｂにおける中心側が凹む湾曲面となっている。さらに、傾斜面２６，２６は、第４の面１９及び第５の面２０と不連続に交わっている。これによっても指掛け性が高められている。指掛け部２４，２４は、第４の面１９と第５の面２０との略中間の面に対して面対称となるように配置されている。
【００３２】
次に、同実施形態に係る光照射治療・予防装置１の使用方法について、説明する。使用者は、光照射治療・予防装置１の正面側から治療若しくは予防を受けるため、手を筺体８の空洞部２３に挿入する。挿入された手には、光源２から放射された光が反射部材３及び波長透過手段５を介して導光部材４の第１の導光面９及び第２の導光面１０から照射される。そして、照射が終わると、使用者は、空洞部２３から手を抜き、治療若しくは予防が終わる。
【００３３】
その後、他の使用者が光照射治療・予防装置１を使用する場合、その使用者が治療若しくは予防を受ける場所にその光照射治療・予防装置１の置き場所を転置する。使用者は、本体１５の第２の面１７の正面側上方から筺体８を把持する。使用者は、図５に示すように、本体１５の第４の面１９及び第５の面２０の指掛け部２４，２４に指を掛けて、光照射治療・予防装置１を把持する。使用者は、光照射治療・予防装置１の重量を指掛け部２４，２４に掛けた指で受け、手の平を第４の面１９及び第５の面２０に添わせて本体１５の側面を挟み保持する。
【００３４】
このときの指掛け部２４，２４の手の位置は、光照射治療・予防装置１の重心位置２５に対応する位置２８，２８に位置している。使用者に把持される光照射治療・予防装置１は、第２の面１７から第３の面１８に向かう第３の方向（前後方向）Ｃの重量のバランスがとれた状態にある。よって、使用者は、その光照射治療・予防装置１のバランスを崩すことなく持ち上げることができる。
【００３５】
このように、指掛け部２４，２４は、傾斜面２６，２６の第１の面１６から第６の面２１に向かう第２の方向Ｂの長さが第２の面１７から第３の面１８に向かうにつれて長くなっている、すなわち、指掛け部２４，２４の幅は、第２の面１７から第３の面１８に向かうほど幅広になっている。そのため、指掛け部２４，２４は、第３の面１８側ほど、使用者が本体を把持する際の指の指掛かりが良くなっている。そこで、使用者が本体を把持する際の指は、より指掛かりがよい第３の面１８側に誘導されることとなる。従って、使用者は、電子機器の重心位置あるいはその近傍を把持することになる。よって、光照射治療・予防装置１を持ち運ぶ際にその姿勢が傾きにくくなり、使用者は、光照射治療・予防装置１を安定して把持することが容易にできる。
【００３６】
なお、本発明に係る電子機器は、上記実施形態に限定されるものではなく、本発明の要旨を逸脱しない範囲内において種々変更を加え得ることは勿論である。
【００３７】
例えば、上記実施形態に係る光照射治療・予防装置１は、治療・予防目的に炎症性サイトカインの産生の抑制を予防したい生体の部位又は罹患した生体の部位に照射する用途に用いられる例を説明したが、これに限定されるものではない。例えば、電子機器は、ジェルネイル硬化装置や排紙のために正面側から奥に向かって空洞部を有するプリンタなどにも適用することができる。
【００３８】
また、上記実施形態に係る光照射治療・予防装置１は、本体１５の第４の面１９及び第５の面２０の下端に指掛け部２４，２４を備える例を説明したが、これに限定されるものではない。指掛け部は、本体１５の第４の面１９及び第５の面２０に添わせる手の指が掛かる範囲の端部に設けられていればよい。例えば、指掛け部は、本体１５の第４の面１９及び第５の面２０に設けられた凹状の凹部であって、その凹部の第６の面２１側の内面に指を掛けることができる傾斜面が設けられていてもよい。また、指掛け部は、本体１５の第４の面１９及び第５の面２０に設けられた凸状の凸部であって、その凸部の第１の面１６側の外面に指を掛けることができる傾斜面が設けられていてもよい。
【産業上の利用可能性】
【００３９】
本発明に係る電子機器は、略直方体状であり、載置面としての第１の面、該第１の面の一方の対向２辺に交わる第２及び第３の面、第１の面のもう一方の対向２辺に交わる第４及び第５の面、及び第１の面と対向する第６の面、の６つの面を有する本体と、第２の面にて開口を有し、該開口から第３の面に向かって本体の中心位置を超えるまでの領域に形成される空洞部と、第４及び第５の面のうち、第１の面側にそれぞれ形成される本体把持用の指掛け部とを備え、各種の部品を本体内に内蔵した電子機器であって、前記指掛け部は、第２の面から第３の面に向かう方向に沿って形成され、且つ、第２の面から第３の面に向かうほど幅広に形成されているという構成を有することによって、電子機器を持ち運ぶ際にその姿勢が傾かないように安定して把持することを容易にできることが必要な用途にも適用することができる。
【符号の説明】
【００４０】
８  筺体
１５  本体
１６  第１の面
１７  第２の面
１８  第３の面
１９  第４の面
２０  第５の面
２１  第６の面
２２  中心位置
２３  空洞部
２４  指掛け部
２５  重心位置
２６  傾斜面
２７  端部
２８  重心位置に対応する位置
【図１】
2013052068.tif 000003
【図２】
2013052068.tif 000004
【図３】
2013052068.tif 000005
【図４】
2013052068.tif 000006
【図５】
2013052068.tif 000007